(57)【要約】【課題】操作部材と制御部とを電気的に接続する操作ケーブルを容易に固定することが可能な複合機を提供する。【解決手段】インクジェット複合機は、スキャン部を有するイメージスキャナーと、イメージスキャナーが回動部１３ａにおいて回動可能に組み付けられるインクジェット式プリンターと、イメージスキャナーに設けられた操作パネルと、制御基板と、制御基板と操作パネルとを電気的に接続する操作ケーブル３８と、スキャン部と制御基板とを電気的に接続するスキャナーケーブル４６とを備える。操作ケーブル３８は、操作パネルからスキャナーロアー３２内及び回動部１３ａを経由して制御基板まで引き回される。スキャナーケーブル４６は、スキャン部から回動部１３ａを経由して該回動部１３ａにて操作ケーブル３８と合流した状態で制御基板まで引き回されるとともに、操作ケーブル３８の一部を押さえた状態でスキャナーロアー３２内に固定される。【選択図】図９
2013128238.tif 000002
【特許請求の範囲】
【請求項１】
内部に画像を読み取るスキャン部を有する画像読取装置と、
前記画像読取装置が回動部において回動可能に組み付けられ、前記画像読取装置によって読み取られた画像を記録可能な記録装置と、
前記画像読取装置に設けられ、前記画像読取装置及び前記記録装置を操作するための操作部材と、
前記操作部材に対して前記画像読取装置を隔てるように前記記録装置に配置され、前記操作部材の操作に基づき前記画像読取装置及び前記記録装置の動作を制御する制御部と、
前記操作部材と前記制御部とを電気的に接続する操作ケーブルと、
前記スキャン部と前記制御部とを電気的に接続するスキャナーケーブルと
を備え、
前記操作ケーブルは、前記操作部材から前記画像読取装置内及び前記回動部を経由して前記制御部まで引き回され、
前記スキャナーケーブルは、前記スキャン部から前記回動部を経由して該回動部にて前記操作ケーブルと合流した状態で前記制御部まで引き回されるとともに、前記操作ケーブルの一部を押さえた状態で前記画像読取装置内に固定されることを特徴とする複合機。
【請求項２】
前記画像読取装置内には、前記操作ケーブルを保持する保持部が設けられていることを特徴とする請求項１に記載の複合機。
【請求項３】
前記保持部は、前記画像読取装置内において前記操作ケーブルと前記スキャン部とを隔てるように配置されていることを特徴とする請求項２に記載の複合機。
【発明の詳細な説明】
【技術分野】
【０００１】
本発明は、画像読取装置及び記録装置を備えた複合機に関する。
【背景技術】
【０００２】
一般に、複合機は、画像を読み取る画像読取部と、該画像読取部で読み取った画像を記録する記録部とを備えている。こうした複合機は、通常、記録部上に画像読取部が配置された構成になっている（例えば、特許文献１）。
【０００３】
この特許文献１の印刷装置（複合機）では、印刷機構及びＣＰＵ（制御部）を有するベース（記録装置）上に支持部材を介してスキャナーユニット（画像読取装置）が配置されるとともに、スキャナーユニットに操作パネル（操作部材）が設けられている。そして、スキャナーユニットは、支持部材との連結部を支軸として開閉可能になっている。すなわち、スキャナーユニットは、支持部材に対して回動可能に連結されている。
【０００４】
また、特許文献１の印刷装置では、操作パネルがＣＰＵと電気的に接続されるとともに、スキャナーユニットがスキャナー制御部を介してＣＰＵと電気的に接続されている。この場合、操作パネルとＣＰＵとの接続や、スキャナーユニットとＣＰＵとの接続には、帯状のケーブル（例えば、フレキシブルフラットケーブル）を用いることが多い。そして、こうした帯状のケーブルは、通常、支持部材やベースの内面に沿って引き回される。
【先行技術文献】
【特許文献】
【０００５】
【特許文献１】特開２００８−１０７３８６号公報
【発明の概要】
【発明が解決しようとする課題】
【０００６】
ところで、特許文献１の印刷装置において、帯状のケーブルを用いる場合、帯状のケーブルを支持部材やベースの内面に沿って引き回すだけでは、該内面から帯状のケーブルが離れて安定しなくなる場所があるため、通常は、そうした場所において帯状のケーブルを支持部材やベースの内面に対して両面粘着テープなどの固定部材で固定する必要がある。
【０００７】
そして、こうした帯状のケーブルの固定作業は、ケーブル毎に行う必要がある。このため、帯状のケーブルの固定作業が繁雑になってしまうという問題がある。
本発明は、このような従来技術に存在する問題点に着目してなされたものである。その目的とするところは、操作部材と制御部とを電気的に接続する操作ケーブルを容易に固定することが可能な複合機を提供することにある。
【課題を解決するための手段】
【０００８】
上記目的を達成するために、本発明の複合機は、内部に画像を読み取るスキャン部を有する画像読取装置と、前記画像読取装置が回動部において回動可能に組み付けられ、前記画像読取装置によって読み取られた画像を記録可能な記録装置と、前記画像読取装置に設けられ、前記画像読取装置及び前記記録装置を操作するための操作部材と、前記操作部材に対して前記画像読取装置を隔てるように前記記録装置に配置され、前記操作部材の操作に基づき前記画像読取装置及び前記記録装置の動作を制御する制御部と、前記操作部材と前記制御部とを電気的に接続する操作ケーブルと、前記スキャン部と前記制御部とを電気的に接続するスキャナーケーブルとを備え、前記操作ケーブルは、前記操作部材から前記画像読取装置内及び前記回動部を経由して前記制御部まで引き回され、前記スキャナーケーブルは、前記スキャン部から前記回動部を経由して該回動部にて前記操作ケーブルと合流した状態で前記制御部まで引き回されるとともに、前記操作ケーブルの一部を押さえた状態で前記画像読取装置内に固定される。
【０００９】
この発明によれば、スキャナーケーブルで操作ケーブルの一部が押さえられるので、操作ケーブルを押さえて固定するための部材を低減することができる。したがって、操作部材と制御部とを電気的に接続する操作ケーブルを容易に固定することが可能となる。
【００１０】
本発明の複合機において、前記画像読取装置内には、前記操作ケーブルを保持する保持部が設けられている。
この発明によれば、画像読取装置内に引き回された操作ケーブルを、保持部によって保持することが可能となる。
【００１１】
本発明の複合機において、前記保持部は、前記画像読取装置内において前記操作ケーブルと前記スキャン部とを隔てるように配置されている。
この発明によれば、保持部によって、操作ケーブルがスキャン部と接触することを回避することが可能となる。
【図面の簡単な説明】
【００１２】
【図１】実施形態におけるインクジェット複合機の斜視図。
【図２】同複合機の内部構造を示す斜視図。
【図３】同複合機における操作パネルを含むスキャナー部材の分解斜視図。
【図４】同複合機における操作ケーブルの引き回し状態を示す斜視図。
【図５】同複合機のスキャナーロアーの斜視図。
【図６】図５の要部拡大斜視図。
【図７】図５の要部拡大斜視図。
【図８】同複合機の要部拡大断面図。
【図９】図５の要部拡大斜視図。
【図１０】図４の要部拡大斜視図。
【発明を実施するための形態】
【００１３】
以下、本発明の複合機をインクジェット複合機に具体化した一実施形態について、図面に従って説明する。また、以下の説明において、「前後方向」、「左右方向」、「上下方向」をいう場合は各図中に矢印で示す前後方向、左右方向、上下方向をそれぞれ示すものとする。なお、図面中の上方向、右方向及び前方向を示す矢印において、「○」の中に「・」が記載されたもの（矢の先端を前から見た図）は紙面の裏から表に向かう矢印を意味し、「○」の中に「×」が記載されたもの（矢の羽根を後ろから見た図）は紙面の表から裏に向かう矢印を意味するものとする。
【００１４】
図１及び図２に示すように、複合機としてのインクジェット複合機１１は、記録装置としてのインクジェット式プリンター１２と、インクジェット式プリンター１２上に設けられた画像読取装置としてのイメージスキャナー１３とを備え、全体として略直方体状をなしている。すなわち、イメージスキャナー１３は、その後端部である回動部１３ａを支点として（回動部１３ａにおいて）インクジェット式プリンター１２に対して回動可能に組み付けられている。
【００１５】
イメージスキャナー１３は、画像を読み取るためのスキャナー部材１４と、スキャナー部材１４上に画像を読み取る目的で載置される原稿などを押さえるための矩形板状をなす蓋体１５とを備えている。
【００１６】
蓋体１５の後端は、スキャナー部材１４の上面における後端部に回動可能に支持されている。そして、蓋体１５は、その後端を回動中心として回動されることで、スキャナー部材１４の上面を開閉する。また、インクジェット式プリンター１２は、イメージスキャナー１３によって読み取られた原稿などの画像を用紙Ｐに印刷（記録）する。
【００１７】
インクジェット複合機１１の前面には、該インクジェット複合機１１を操作するための操作部材としての左右方向に長い略矩形状をなす操作パネル１６が設けられている。インクジェット複合機１１の前面における操作パネル１６の下側には、インクジェット式プリンター１２によって印刷された用紙Ｐが排紙される左右方向に長い略矩形状をなす排紙口１７が開口している。排紙口１７の幅は、上下方向及び左右方向において、操作パネル１６の幅とそれぞれほぼ同じになっている。
【００１８】
図２に示すように、インクジェット式プリンター１２は、上端及び前端が開口した略矩形箱状をなす本体ケース２０を備えている。本体ケース２０内の下部には、その長手方向である左右方向に沿って延びる矩形板状の支持台２１が設けられている。支持台２１上には、本体ケース２０内に設けられた図示しない紙送りモーターの駆動に基づき、図示しない紙送り機構により用紙Ｐが後方側から給送される。
【００１９】
本体ケース２０内における支持台２１の上方には、該支持台２１の長手方向（左右方向）に沿って延びるガイドレール２２が架設されている。ガイドレール２２には、該ガイドレール２２の延びる方向である左右方向に沿って往復移動可能にキャリッジ２３が支持されている。
【００２０】
そして、キャリッジ２３は、本体ケース２０内に設けられた図示しないキャリッジモーターの駆動に基づき、図示しない移動機構によりガイドレール２２にガイドされながら走査方向である左右方向に沿って往復移動される。
【００２１】
キャリッジ２３上には、内部に液体としてのインクが収容されたインクカートリッジ２４が着脱可能に装着されている。一方、キャリッジ２３の下部には、用紙Ｐに対してインクを噴射可能な記録ヘッド２５が、支持台２１上に給送される用紙Ｐと対向するように支持されている。
【００２２】
記録ヘッド２５の下面には、図示しない複数のノズルが開口している。そして、記録ヘッド２５に備えられた図示しない圧電素子の駆動により、インクカートリッジ２４内のインクが記録ヘッド２５へと供給され、記録ヘッド２５の各ノズル（図示略）から支持台２１上に給送された用紙Ｐにそれぞれ噴射されて印刷が行われる。
【００２３】
図３に示すように、スキャナー部材１４は、矩形枠状のスキャナーアッパー３０と、矩形状のガラス板３１と、ガラス板３１を支持した状態でスキャナーアッパー３０に組み付けられる矩形箱状のスキャナーロアー３２とを備えている。スキャナーロアー３２の前面には、操作パネル１６を組み付けるための矩形板状の組み付け部３３が一体形成されている。
【００２４】
図３及び図４に示すように、操作パネル１６は、後側が開口した有底矩形箱状をなすパネルケース３４と、パネルケース３４内の中央部に支持された矩形板状のパネル基板３５と、パネル基板３５に実装された各種スイッチ（図示略）を覆う複数の操作ボタン３６とを備えている。そして、各操作ボタン３６がユーザーによって押圧されることで、インクジェット複合機１１が操作される。
【００２５】
図４に示すように、インクジェット式プリンター１２内の後部には、各操作ボタン３６の操作に基づきインクジェット複合機１１全体（イメージスキャナー１３及びインクジェット式プリンター１２）の動作を制御する制御部としての制御基板３７が配置されている。すなわち、制御基板３７は、パネル基板３５に対してスキャナーロアー３２を隔てるように配置されている。
【００２６】
制御基板３７とパネル基板３５とは、帯状の操作ケーブル３８によって電気的に接続されている。本実施形態において、操作ケーブル３８には、フレキシブルフラットケーブルが採用されている。
【００２７】
図５及び図６に示すように、操作ケーブル３８は、パネル基板３５の左端部から真っ直ぐ左方向へ延びた後、上方へ折り返されている。この上方へ折り返された操作ケーブル３８は、スキャナーロアー３２の前端部を上下に貫通する貫通孔３９を通った後、幅方向が上下方向（鉛直方向）となるようにスキャナーロアー３２の前側壁内面に沿って左方向へ延びている。この場合、貫通孔３９は、スキャナーロアー３２の前端縁部に形成された隔壁３２ａによって、スキャナーロアー３２の内部空間Ｋと隔絶されている。
【００２８】
そして、幅方向が上下方向（鉛直方向）となるようにスキャナーロアー３２の前側壁内面に沿って左方向へ延びる操作ケーブル３８は、さらにスキャナーロアー３２の左前端部のコーナーの内側を曲がってスキャナーロアー３２の左側壁内面に沿って後方へ延びている。すなわち、操作ケーブル３８は、幅方向が上下方向（鉛直方向）となるようにスキャナーロアー３２内に引き回されている。
【００２９】
また、スキャナーロアー３２内の左端部における前後方向の中央部には、ガラス板３１（図３参照）の一部を支持する前後方向に延びる略矩形状の支持板４０が立設されている。
【００３０】
図５及び図７に示すように、支持板４０とスキャナーロアー３２の左側壁内面との間には、支持板４０とスキャナーロアー３２の左側壁内面とを連結するように、４枚の平板状のリブ４１が立設されている。各リブ４１は、支持板４０を補強するとともに、前後方向に等間隔となり且つ互いに平行となるように配置されている。各リブ４１の左端部には切欠部４１ａがそれぞれ形成されている。
【００３１】
そして、各リブ４１の切欠部４１ａとスキャナーロアー３２の前側壁内面との間を操作ケーブル３８が通っている。したがって、操作ケーブル３８は各リブ４１によってスキャナーロアー３２の左側壁内面から離隔しないように保持されるので、各リブ４１が操作ケーブル３８を保持する保持部としても機能する。
【００３２】
さらに、スキャナーロアー３２内における各リブ４１の前後両側には、スキャナーロアー３２の左側壁内面から操作ケーブル３８が離隔しないように操作ケーブル３８を保持する保持部としての保持板４２，４３がそれぞれ設けられている。
【００３３】
また、スキャナーロアー３２内における支持板４０よりも右側には、ガラス板３１（図３参照）上に載置された原稿などの画像を左右方向に移動しながら読み取るためのスキャン部４５が左右方向に往復移動可能に配置されている。ガラス板３１（図３参照）上におけるスキャン部４５の移動範囲と対応する領域は、ガラス板３１（図３参照）上に載置された原稿などの画像を読み取るための画像読取領域とされている。
【００３４】
また、スキャン部４５は、スキャナーロアー３２内において、保持板４２，４３及び各リブ４１によって、操作ケーブル３８と隔てられている。すなわち、保持板４２，４３及び各リブ４１は、スキャナーロアー３２内において、スキャン部４５と操作ケーブル３８とを隔てるように配置されている。
【００３５】
スキャン部４５は、帯状のスキャナーケーブル４６によって制御基板３７（図４参照）と電気的に接続されている。本実施形態において、スキャナーケーブル４６には、フレキシブルフラットケーブルが採用されている。スキャン部４５は、スキャナーロアー３２内の前後方向の幅一杯に延びる棒状のスキャンヘッド４７と、スキャンヘッド４７を左右方向に移動させるための移動機構４８とを備えている。
【００３６】
移動機構４８は、スキャンヘッド４７に取着され、スキャナーロアー３２の内底面の前端部に左右方向に延びるように設けられたラック部３２ｂに噛合する歯車（図示略）と、該歯車（図示略）を回転駆動するモーター（図示略）とを備えている。そして、このモーター（図示略）の駆動により、歯車（図示略）が回転することで、移動機構４８とともにスキャンヘッド４７が左右方向に移動する。
【００３７】
図５及び図８に示すように、スキャナーロアー３２内における保持板４２と各リブ４１のうち最も前側に位置するリブ４１との間には、スキャナーアッパー３０の下面から下方に向かって延びる略棒状の位置合わせ部材４９が配置されている。すなわち、位置合わせ部材４９は、スキャナーロアー３２の内部空間Ｋにおいて、スキャン部４５と操作ケーブル３８とを隔てるように配置されている。
【００３８】
位置合わせ部材４９には、スキャン部４５の基準位置となる原点を設定する際に、スキャン部４５が当接される。そして、位置合わせ部材４９に当接したときのスキャン部４５の位置が原点に設定される。
【００３９】
図５及び図９に示すように、スキャナーロアー３２の内底面上における後端部には、左右方向に延びるガイド溝５０が形成されている。ガイド溝５０の左端部は、後方へ屈曲してスキャナーロアー３２の後側壁の左端部に形成された挿通孔５１を通ってスキャナーロアー３２の後側壁の後側まで延びている。
【００４０】
スキャン部４５から延びるスキャナーケーブル４６は、ガイド溝５０内に水平状態で収容され、ガイド溝５０の左端部の屈曲部分に沿って折り返された後、挿通孔５１に挿入されてスキャナーロアー３２の外部へ延びている。
【００４１】
ガイド溝５０の両側には、ガイド溝５０内からスキャナーケーブル４６が浮き上がらないようにするため、適宜に係止片５２が設けられている。さらに、挿通孔５１の近傍に位置するスキャナーケーブル４６の折り返し部分Ｎは、スキャナーケーブル４６のガイド溝５０からの浮き上がりを抑制するべく、両面粘着テープ（図示略）でガイド溝５０内に粘着（固定）されている。
【００４２】
図９及び図１０に示すように、挿通孔５１からスキャナーロアー３２の外部へ延びるスキャナーケーブル４６は、下側から前側へ向かうように反転された後、制御基板３７に向かって延びている。
【００４３】
制御基板３７の後面にはコアホルダー５３が設けられるとともに、コアホルダー５３にはノイズ除去用の楕円環状のフェライトコア５４が支持されている。そして、制御基板３７に向かって延びるスキャナーケーブル４６は、フェライトコア５４に挿通された後、制御基板３７に接続されている。したがって、スキャナーケーブル４６のノイズは、フェライトコア５４によって除去される。
【００４４】
また、スキャナーロアー３２の左側壁内面に沿って後方へ延びる操作ケーブル３８は、スキャナーロアー３２の左後端部のコーナーの手前で下方に向かって折り返された後、スキャナーロアー３２の内底面に沿って水平状態で右方向に延びている。
【００４５】
その後、操作ケーブル３８は、挿通孔５１の前側で後方に向かって折り返されるとともに、回動部１３ａにてスキャナーケーブル４６と重なりながら合流してスキャナーケーブル４６とともに挿通孔５１に挿入されてスキャナーロアー３２の外部へ延びている。
【００４６】
この場合、操作ケーブル３８は、スキャナーケーブル４６の下側に配置されているため、挿通孔５１の前側の折り返し部分Ｍ（操作ケーブル３８の一部）がスキャナーケーブル４６によって上から押さえられている。そして、挿通孔５１からスキャナーロアー３２の外部へ延びる操作ケーブル３８は、スキャナーケーブル４６の内側を通るように反転した後、制御基板３７まで延びて該制御基板３７に接続されている。
【００４７】
この場合、操作ケーブル３８の反転後は、操作ケーブル３８がスキャナーケーブル４６よりも上側に位置する。したがって、操作ケーブル３８を制御基板３７に接続する際にフェライトコア５４が障害とならないので、フェライトコア５４を回避するために操作ケーブル３８の折り返しを追加する必要がない。
【００４８】
以上のように、操作ケーブル３８は、操作パネル１６からスキャナーロアー３２内及び回動部１３ａを経由して制御基板３７まで引き回されている。一方、スキャナーケーブル４６は、スキャン部４５から回動部１３ａを経由して該回動部１３ａにて操作ケーブル３８と合流した状態で制御基板３７まで引き回されている。
【００４９】
次に、インクジェット複合機１１の作用について説明する。
さて、原稿（図示略）の画像を読み取って印刷する場合には、イメージスキャナー１３の蓋体１５を開けてガラス板３１上の画像読取領域に原稿を載置した後、蓋体１５を閉める。これにより、ガラス板３１上に原稿が固定された状態となる。この状態で、操作パネル１６が操作されると、スキャン部４５が左右方向に移動することでガラス板３１上の原稿の画像が読み取られ、その画像データがスキャナーケーブル４６を介して制御基板３７に記憶される。
【００５０】
このとき、操作ケーブル３８は、幅方向が上下方向（鉛直方向）となるようにスキャナーロアー３２内の左端部において引き回されている。このため、操作ケーブル３８を幅方向が水平状態となるようにスキャナーロアー３２内に引き回す場合に比べて、水平方向における操作ケーブル３８の占有する面積が小さくなる。この結果、原稿の画像を読み取るための画像読取領域が十分に確保される。
【００５１】
加えて、スキャナーロアー３２内の深さは操作ケーブル３８の幅よりも深いため、スキャナーロアー３２内の深さを深くしなくても、スキャナーロアー３２内に操作ケーブルを幅方向が鉛直方向となる状態で引き回すことができる。したがって、スキャナーロアー３２（インクジェット複合機１１）を大型化することなく、画像を読み取るための画像読取領域が十分に確保される。
【００５２】
また、スキャナーロアー３２内には、各リブ４１、保持板４２，４３、及び位置合わせ部材４９が、スキャン部４５の移動範囲と操作ケーブル３８とを隔てるように配置されている。このため、操作ケーブル３８は、弛んだり撓んだりした場合でも、各リブ４１、保持板４２，４３、及び位置合わせ部材４９によって保持されるため、スキャン部４５と接触することが回避される。
【００５３】
引き続き、インクジェット式プリンター１２は、制御基板３７に記憶された原稿の画像データに基づいて用紙Ｐに画像を印刷する。画像が印刷された用紙Ｐは、排紙口１７から排紙される。
【００５４】
以上、詳述した実施形態によれば以下の効果を得ることができる。
（１）操作ケーブル３８は、挿通孔５１の前側近傍に位置する折り返し部分Ｍが、挿通孔５１の近傍に位置する折り返し部分Ｎがガイド溝５０に両面粘着テープ（図示略）で粘着（固定）されたスキャナーケーブル４６によって上から押さえられている。このため、操作ケーブル３８の折り返し部分Ｍが浮き上がらないようにするための両面粘着テープなどの部材を必要とすることなく、操作ケーブル３８の折り返し部分Ｍが浮き上がらないようにすることができる。したがって、操作ケーブル３８をスキャナーロアー３２に対して容易に固定することができる。
【００５５】
（２）スキャナーロアー３２内には、各リブ４１、保持板４２，４３、及び位置合わせ部材４９が、スキャン部４５の移動範囲と操作ケーブル３８とを隔てるように配置されている。このため、操作ケーブル３８が弛んだり撓んだりした場合でも、各リブ４１、保持板４２，４３、及び位置合わせ部材４９によって操作ケーブル３８を保持することができるので、操作ケーブル３８とスキャン部４５とが接触することを回避することができる。
【００５６】
（３）操作ケーブル３８は、幅方向が上下方向（鉛直方向）となるようにスキャナーロアー３２内の左端部において鉛直面である左側壁内面に沿って引き回されているため、操作ケーブル３８を幅方向が水平状態となるようにスキャナーロアー３２内に引き回す場合に比べて、水平方向における操作ケーブル３８の占有する面積を小さくすることができる。このため、原稿の画像を読み取るための画像読取領域を十分に確保することができる。加えて、スキャナーロアー３２内の深さは操作ケーブル３８の幅よりも深いため、スキャナーロアー３２内の深さを深くしなくても、スキャナーロアー３２内に操作ケーブルを幅方向が鉛直方向となる状態で引き回すことができる。したがって、スキャナーロアー３２（インクジェット複合機１１）を大型化することなく、画像を読み取るための画像読取領域を十分に確保することができる。
【００５７】
（４）操作ケーブル３８が挿通される貫通孔３９は、スキャナーロアー３２の前端縁部に形成された隔壁３２ａによって、スキャナーロアー３２の内部空間Ｋ（スキャナーロアー３２とガラス板３１とで形成される空間）と隔絶されている。このため、外部の塵埃などが貫通孔３９からスキャナーロアー３２の内部空間Ｋ内に進入することを抑制することができる。
（変更例）
なお、上記実施形態は以下のように変更してもよい。
【００５８】
・各リブ４１、保持板４２，４３、及び位置合わせ部材４９は、必ずしもスキャン部４５の移動範囲と操作ケーブル３８とを隔てるように配置する必要はない。
・各リブ４１及び保持板４２，４３のうち少なくとも１つを省略してもよい。
【００５９】
・インクジェット式プリンター１２をレーザープリンターに置き換えたレーザー複合機を複合機として用いてもよい。
さらに、上記実施形態より把握できる技術的思想について以下に記載する。
【００６０】
（イ）画像を読み取るためのスキャナー部材と、前記スキャナー部材に組み付けられ、前記スキャナー部材を操作するための操作部材と、前記操作部材に対して前記スキャナー部材を隔てるように配置され、前記操作部材の操作に基づいて前記スキャナー部材の動作を制御する制御部と、前記操作部材と前記制御部とを電気的に接続する帯状の操作ケーブルとを備え、前記操作ケーブルは、幅方向が鉛直方向となるように前記スキャナー部材内に引き回されていることを特徴とする画像読取装置。
【００６１】
この構成によれば、帯状の操作ケーブルは、幅方向が鉛直方向となるようにスキャナー部材内に引き回されている。このため、操作ケーブルを水平状態で引き回す場合に比べて、水平方向の面積が小さくなるので、画像を読み取るための画像読取領域を十分に確保することができる。加えて、スキャナー部材の厚さは、通常、操作ケーブルの幅よりも厚いため、スキャナー部材の厚さを厚くしなくても、操作ケーブルを、幅方向が鉛直方向となるようにスキャナー部材内に引き回すことができる。したがって、大型化することなく、画像を読み取るための画像読取領域を十分に確保することが可能となる。
【００６２】
（ロ）上記（イ）に記載の画像読取装置と、前記画像読取装置によって読み取られた画像を記録可能な記録装置とを備えたことを特徴とする複合機。
この構成によれば、上記（イ）と同様の作用効果を得ることが可能となる。
【符号の説明】
【００６３】
１１…複合機としてのインクジェット複合機、１２…記録装置としてのインクジェット式プリンター、１３…画像読取装置としてのイメージスキャナー、１３ａ…回動部、１４…スキャナー部材、１６…操作部材としての操作パネル、３７…制御部としての制御基板、３８…操作ケーブル、４１…保持部としてのリブ、４２，４３…保持部としての保持板、４５…スキャン部、４６…スキャナーケーブル。
【図１】
2013128238.tif 000003
【図２】
2013128238.tif 000004
【図３】
2013128238.tif 000005
【図４】
2013128238.tif 000006
【図５】
2013128238.tif 000007
【図６】
2013128238.tif 000008
【図７】
2013128238.tif 000009
【図８】
2013128238.tif 000010
【図９】
2013128238.tif 000011
【図１０】
2013128238.tif 000012